(57)【要約】【課題】第１インターホン機器に入力された画像を、画質の劣化を抑えつつ同じサイズで第２インターホン機器側で再生させること。【解決手段】インターホンシステム１００は、第１インターホン機器１及び第２インターホン機器２を備える。第１インターホン機器１は、縮小部１２１と、エンコーダ１２２と、送信部１３１とを有する。縮小部１２１は、アスペクト比が変わるように原画像を縮小する縮小処理を実行する。送信部１３１は、符号化された画像を含む画像信号を第２インターホン機器２へ送信する。第２インターホン機器２は、受信部２１１と、デコーダ２２１と、拡大部２２２とを有する。受信部２１１は、画像信号を受信する。拡大部２２２は、復号化された画像を原画像のアスペクト比を有する画像に拡大する。【選択図】図１
2018082221.tif 000002
【特許請求の範囲】
【請求項１】
互いに通信可能に構成される第１インターホン機器及び第２インターホン機器を備え、
前記第１インターホン機器は、
入力された原画像のアスペクト比が変わるように前記原画像を縮小する縮小処理を実行し、縮小した画像を出力する縮小部と、
前記縮小部で縮小された画像を符号化し、符号化した画像を出力するエンコーダと、
前記エンコーダで符号化された画像を含む画像信号を前記第２インターホン機器へ送信する送信部とを有し、
前記第２インターホン機器は、
前記画像信号を受信する受信部と、
前記画像信号に含まれる画像を復号化し、復号化した画像を出力するデコーダと、
前記デコーダで復号化された画像を拡大し、拡大した画像を出力する拡大部とを有し、
前記拡大部は、前記デコーダで復号化された画像を前記原画像の前記アスペクト比を有する画像に拡大するように構成されることを特徴とするインターホンシステム。
【請求項２】
前記縮小部は、入力された画像の横方向の画素数だけを減らすように構成されることを特徴とする請求項１記載のインターホンシステム。
【請求項３】
前記縮小部は、前記縮小処理において、前記原画像の少なくとも一部を変形して補正する補正処理を実行するように構成されることを特徴とする請求項１又は２に記載のインターホンシステム。
【請求項４】
前記第２インターホン機器は、画面を区分けする境界線及び情報を提示するためのアイコンの少なくとも一方を、拡大した画像に付加する付加部をさらに有することを特徴とする請求項１乃至３のいずれか１項に記載のインターホンシステム。
【請求項５】
前記縮小部は、入力された画像のうち一部の領域を縮小するように構成されることを特徴とする請求項１乃至４のいずれか１項に記載のインターホンシステム。
【請求項６】
前記第１インターホン機器は、前記一部の領域を設定するための設定部をさらに有することを特徴とする請求項５記載のインターホンシステム。
【請求項７】
前記第１インターホン機器は、前記縮小部に入力される画像を分析する分析部をさらに有し、
前記縮小部は、前記分析部での分析結果に応じて前記一部の領域を決定するように構成されることを特徴とする請求項５記載のインターホンシステム。
【発明の詳細な説明】
【技術分野】
【０００１】
本発明は、一般にインターホンシステムに関し、より詳細には、画像を含む画像信号を第１インターホン機器から第２インターホン機器へ送信するインターホンシステムに関する。
【背景技術】
【０００２】
従来、送信端末から受信端末へ伝送路を介して圧縮された圧縮動画データを伝送する動画伝送システムが知られており、たとえば特許文献１に開示されている。特許文献１に記載の動画伝送システムでは、カメラ付きインターホンシステムに用いられる場合、集合住宅の共同玄関に設置されるロビーインターホンが送信端末、住戸内に設置されるインターホン親機が受信端末に相当する。
【先行技術文献】
【特許文献】
【０００３】
【特許文献１】特開２０１２−１５６６５３号公報
【発明の概要】
【発明が解決しようとする課題】
【０００４】
ところで、上記従来例のようなインターホンシステムは、ロビーインターホン（第１インターホン機器）に入力された画像を、画質の劣化を抑えつつ同じサイズでインターホン親機（第２インターホン機器）側で再生することが望まれている。
【０００５】
本発明は、上記の点に鑑みてなされており、第１インターホン機器に入力された画像を、画質の劣化を抑えつつ同じサイズで第２インターホン機器側で再生させることのできるインターホンシステムを提供することを目的とする。
【課題を解決するための手段】
【０００６】
本発明の一態様に係るインターホンシステムは、互いに通信可能に構成される第１インターホン機器及び第２インターホン機器を備える。前記第１インターホン機器は、縮小部と、エンコーダと、送信部とを有する。前記縮小部は、入力された原画像のアスペクト比が変わるように前記原画像を縮小する縮小処理を実行し、縮小した画像を出力するように構成される。前記エンコーダは、前記縮小部で縮小された画像を符号化し、符号化した画像を出力するように構成される。前記送信部は、前記エンコーダで符号化された画像を含む画像信号を前記第２インターホン機器へ送信するように構成される。前記第２インターホン機器は、受信部と、デコーダと、拡大部とを有する。前記受信部は、前記画像信号を受信するように構成される。前記デコーダは、前記画像信号に含まれる画像を復号化し、復号化した画像を出力するように構成される。前記拡大部は、前記デコーダで復号化された画像を拡大し、拡大した画像を出力するように構成される。前記拡大部は、前記デコーダで復号化された画像を前記原画像の前記アスペクト比を有する画像に拡大するように構成される。
【発明の効果】
【０００７】
本発明は、第１インターホン機器に入力された画像を、画質の劣化を抑えつつ同じサイズで第２インターホン機器側で再生させることができる。
【図面の簡単な説明】
【０００８】
【図１】図１は、本発明の一実施形態に係るインターホンシステムを示すブロック図である。
【図２】図２Ａは、同上のインターホンシステムにおいて、縮小部に入力される画像を示す図である。図２Ｂは、同上のインターホンシステムにおいて、エンコーダに入力される画像を示す図である。図２Ｃは、同上のインターホンシステムにおいて、表示部に表示される画像を示す図である。
【図３】図３Ａは、比較例のインターホンシステムにおいて、エンコーダに入力される画像を示す図である。図３Ｂは、比較例のインターホンシステムにおいて、表示部に表示される画像を示す図である。
【図４】図４Ａは、本発明の一実施形態に係るインターホンシステムにおいて、表示部に表示される二分割された画像を示す図である。図４Ｂは、本発明の一実施形態に係るインターホンシステムにおいて、ＰｉｎＰ機能を用いて表示部に表示される画像を示す図である。図４Ｃは、本発明の一実施形態に係るインターホンシステムにおいて、表示部に表示されるアイコンを含む画像を示す図である。
【図５】図５Ａは、同上のインターホンシステムにおいて、縮小する一部の領域の一例を示す図である。図５Ｂは、同上のインターホンシステムにおいて、縮小する一部の領域の他の例を示す図である。
【発明を実施するための形態】
【０００９】
（１）全体構成
本実施形態のインターホンシステム１００は、図１に示すように、第１インターホン機器１と、第２インターホン機器２とを備えている。本実施形態では、インターホンシステム１００が集合住宅用のインターホンシステムである場合を例として説明する。
【００１０】
第１インターホン機器１は、集合住宅の共同玄関に設置されるロビーインターホンである。第２インターホン機器２は、集合住宅の住戸内（室内）に設置されるインターホン親機である。第１インターホン機器１と第２インターホン機器２とは、互いに通信可能に構成されている。
【００１１】
また、本実施形態では、第１インターホン機器１に撮像部１１が設けられ、第２インターホン機器２に表示部２３が設けられている。このため、本実施形態のインターホンシステム１００では、第１インターホン機器１の撮像部１１で撮像された被写体（来訪者など）の画像を、第２インターホン機器２の表示部２３に表示することができる。
【００１２】
第１インターホン機器１は、図１に示すように、撮像部１１と、第１画像処理部１２と、第１通信部１３と、呼出部１４と、第１制御部１５とを有している。
【００１３】
撮像部１１は、撮像素子を有し、被写体（来訪者など）を撮像するためのカメラである。本実施形態では、来訪者が第１インターホン機器１を操作する際に少なくとも来訪者の顔を撮像できるように、撮像部１１の撮像エリア（視野）は、第１インターホン機器１の前方に設定される。また、本実施形態では、撮像部１１は動画を撮像するカメラであるが、静止画を撮像するカメラであってもよい。さらに、本実施形態では、撮像部１１はカラー画像を撮像するカメラであるが、モノクローム画像を撮像するカメラであってもよい。
【００１４】
撮像素子は、たとえばＣＣＤ（Charge Coupled Devices）イメージセンサ、又はＣＭＯＳ（Complementary Metal-Oxide Semiconductor）イメージセンサ等の二次元イメージセンサである。撮像部１１は、被写体からの光をレンズ等の光学系によって撮像素子の撮像面（受光面）上に結像させ、撮像素子にて被写体からの光を電気信号に変換する。そして、撮像部１１は、撮像素子の出力信号を原画像信号として第１画像処理部１２へ出力する。
【００１５】
原画像信号は、撮像部１１で撮像された画像を含んでいる。以下では、この撮像部１１で撮像された画像を「原画像」という。原画像のサイズは、たとえばＷＶＧＡ（Wide Video Graphics Array）規格に対応したサイズ（横８００ピクセル×縦６００ピクセル）である。また、本実施形態では、撮像部１１は、撮像素子の出力信号からＹＵＶフォーマットのディジタルの原画像信号を生成し、生成した原画像信号を出力するように構成されている。
【００１６】
第１画像処理部１２は、撮像部１１から出力される原画像信号を受けて、信号処理により原画像を処理するように構成されている。第１画像処理部１２は、たとえばＤＳＰ（Digital Signal Processor）又はＦＰＧＡ（Field-Programmable Gate Array）などのデバイスで実現される。第１画像処理部１２は、縮小部１２１と、エンコーダ１２２とを有している。本実施形態では、縮小部１２１及びエンコーダ１２２は第１画像処理部１２として１つのデバイスで構成されているが、他の構成であってもよい。つまり、縮小部１２１とエンコーダ１２２とは、別々のデバイスで構成されていてもよい。
【００１７】
縮小部１２１は、第１画像処理部１２に入力された原画像の画面アスペクト比が変わるように、原画像を縮小する縮小処理を実行し、縮小した画像を出力するように構成されている。ここでいう「画面」は、表示部２３自体を示すのではなく、表示部２３に表示される画面をいう。以下では、「画面アスペクト比」を単に「アスペクト比」という。縮小処理は、原画像の画素密度を変換することにより、原画像の縦方向の画素数及び横方向の画素数の少なくとも一方を減少させる処理である。ここでいう「縮小」とは、画像のサイズを縮小するという意味である。つまり、たとえば画像の横方向の画素数を減らし、画像の縦方向の画素数を増やした場合であっても、縮小処理後の画像の総画素数が入力された画像の総画素数よりも小さくなっていれば、画像を縮小したことになる。
【００１８】
本実施形態では、縮小部１２１は、縮小処理により、入力された原画像の横方向の画素数のみを減少させる。たとえば、縮小部１２１は、入力された原画像のサイズ（横８００ピクセル×縦４８０ピクセル）を、ＶＧＡ（Video Graphics Array）規格に対応したサイズ（横６４０ピクセル×縦４８０ピクセル）に縮小する。
【００１９】
エンコーダ１２２は、縮小部１２１で縮小された画像を符号化し、符号化した画像を出力するように構成されている。本実施形態では、エンコーダ１２２は、動画圧縮規格であるＨ．２６４に対応しており、縮小部１２１から出力されるＶＧＡ規格に対応したサイズ（横６４０ピクセル×縦４８０ピクセル）の画像を符号化するように構成されている。
【００２０】
第１通信部１３は、第２インターホン機器２と通信するための通信インタフェースである。第１通信部１３は、たとえばツイストペア線などからなる２線式の伝送路３を介して、第２インターホン機器２と電気的に接続されている。図１では、伝送路３を１本の線で示している。本実施形態では、第１通信部１３は、第１インターホン機器１と第２インターホン機器２との間で音声信号及び制御信号が双方向に伝送可能となるように、第２インターホン機器２との間で双方向に通信可能に構成されている。
【００２１】
第１通信部１３は、送信部１３１を含んでいる。送信部１３１は、第１画像処理部１２から出力される画像を含む画像信号を第２インターホン機器２へ送信するように構成されている。言い換えれば、送信部１３１は、エンコーダ１２２で符号化された画像を含む画像信号を第２インターホン機器２へ送信するように構成されている。
【００２２】
呼出部１４は、来訪者からの呼び出しのための操作を受け付けるように構成されている。呼出部１４に対して所定の操作（たとえば、押操作）がされると、第１インターホン機器１は、住戸内の居住者を呼び出すための制御信号を第１通信部１３から第２インターホン機器２へ送信する。
【００２３】
第１制御部１５は、第１インターホン機器１の各部を制御するように構成されている。第１制御部１５は、プロセッサ及びメモリを備えたマイクロコンピュータ（コンピュータ）を主構成とする。マイクロコンピュータは、メモリに記憶されているプログラムをプロセッサで実行することにより、第１制御部１５として機能する。プログラムは、予めメモリに書き込まれていてもよいし、電気通信回線を通じて、又はメモリカードなどの記憶媒体に記録されて提供されてもよい。
【００２４】
第２インターホン機器２は、図１に示すように、第２通信部２１と、第２画像処理部２２と、表示部２３と、操作部２４と、第２制御部２５とを有している。
【００２５】
第２通信部２１は、第１インターホン機器１と通信するための通信インタフェースである。第２通信部２１は、伝送路３を介して第１インターホン機器１の第１通信部１３と電気的に接続されている。第２通信部２１は、受信部２１１を含んでいる。受信部２１１は、送信部１３１から送信された画像信号を受信するように構成されている。本実施形態では、第２通信部２１は、第１インターホン機器１と第２インターホン機器２との間で音声信号及び制御信号が双方向に伝送可能となるように、第１インターホン機器１との間で双方向に通信可能に構成されている。
【００２６】
第２画像処理部２２は、受信部２１１から出力される画像信号を受けて、信号処理により画像信号に含まれる画像を処理するように構成されている。第２画像処理部２２は、たとえばＤＳＰ又はＦＰＧＡなどのデバイスで実現される。第２画像処理部２２は、デコーダ２２１と、拡大部２２２とを有している。本実施形態では、デコーダ２２１及び拡大部２２２は第２画像処理部２２として１つのデバイスで構成されているが、他の構成であってもよい。つまり、デコーダ２２１と拡大部２２２とは、別々のデバイスで構成されていてもよい。
【００２７】
デコーダ２２１は、画像信号に含まれる画像を復号化し、復号化した画像を出力するように構成されている。本実施形態では、デコーダ２２１は、動画圧縮規格であるＨ．２６４に対応しており、第１インターホン機器１の送信部１３１からされるＶＧＡ規格に対応したサイズ（横６４０ピクセル×縦４８０ピクセル）の画像を復号化するように構成されている。
【００２８】
拡大部２２２は、デコーダ２２１で復号化された画像を拡大する拡大処理を実行し、拡大した画像を出力するように構成されている。拡大処理は、入力された画像の画素密度を変換することにより、入力された画像の縦方向の画素数及び横方向の画素数の少なくとも一方を増大させる処理である。ここでいう「拡大」とは、画像のサイズを拡大するという意味である。つまり、たとえば画像の縦方向の画素数を減らし、画像の横方向の画素数を増やした場合であっても、拡大処理後の画像の総画素数が入力された画像の総画素数よりも大きくなっていれば、画像を拡大したことになる。
【００２９】
本実施形態では、拡大部２２２は、拡大処理において、入力された画像の横方向の画素数のみを増大させる。たとえば、拡大部２２２は、入力された画像のサイズ（横６４０ピクセル×縦４８０ピクセル）を原画像のサイズ（横８００ピクセル×縦４８０ピクセル）に拡大する。言い換えれば、拡大部２２２は、デコーダ２２１で復号化された画像を、原画像のアスペクト比を有する画像に拡大するように構成されている。
【００３０】
表示部２３は、第２画像処理部２２で処理された画像を表示するように構成されている。表示部２３は、たとえば液晶ディスプレイである。ここで、第２インターホン機器２がタッチパネルディスプレイを備えている場合は、タッチパネルディスプレイが表示部２３と操作部２４とを兼ねることになる。
【００３１】
操作部２４は、ユーザ（ここでは、住戸内の居住者）の操作を受け付けるように構成されている。第２通信部２１が、居住者を呼び出すための制御信号を受信している状態で、操作部２４に対して所定の操作（たとえば、押操作）がされると、第１インターホン機器１と第２インターホン機器２との間で音声通話が可能な状態となる。
【００３２】
第２制御部２５は、第２インターホン機器２の各部を制御するように構成されている。第２制御部２５は、プロセッサ及びメモリを備えたマイクロコンピュータ（コンピュータ）を主構成とする。マイクロコンピュータは、メモリに記憶されているプログラムをプロセッサで実行することにより、第２制御部２５として機能する。プログラムは、予めメモリに書き込まれていてもよいし、電気通信回線を通じて、又はメモリカードなどの記憶媒体に記録されて提供されてもよい。
【００３３】
（２）動作
以下、本実施形態のインターホンシステム１００の動作について説明する。以下では、来訪者が第１インターホン機器１の呼出部１４に対して所定の操作を行う場合について説明する。また、「（２）動作」においては、原画像を「原画像Ｐ１１（図２Ａ参照）」、縮小部１２１で縮小した画像を「縮小画像Ｐ１２（図２Ｂ参照）」、拡大部２２２で拡大した画像を「拡大画像Ｐ１３（図２Ｃ参照）」という。
【００３４】
まず、第１インターホン機器１の呼出部１４が所定の操作を受け付けると、第１インターホン機器１の第１制御部１５は、撮像部１１に撮像動作を開始させる。撮像部１１で撮像された画像（原画像Ｐ１１）は、第１画像処理部１２に入力される。
【００３５】
第１画像処理部１２は、原画像Ｐ１１が入力されると、入力された原画像Ｐ１１に対して処理を行う。ここでは、図２Ａに示すように、原画像Ｐ１１のサイズは、横方向の画素数がＸ１、縦方向の画素数がＹ１であると仮定する。また、原画像Ｐ１１における被写体は、人Ｓ１と、人Ｓ１の衣服に印字された文字Ｓ２を含むと仮定する。
【００３６】
まず、縮小部１２１が縮小処理を実行する。つまり、縮小部１２１は、入力された原画像Ｐ１１のサイズがアスペクト比の異なる画像のサイズとなるように、原画像Ｐ１１を縮小する。ここでは、縮小処理により、原画像Ｐ１１の横方向の画素数が減らされる。したがって、縮小処理後の縮小画像Ｐ１２のサイズは、図２Ｂに示すように、横方向の画素数がＸ２（＜Ｘ１）、縦方向の画素数がＹ１となる。このとき、被写体（人Ｓ１、文字Ｓ２など）も、縮小処理により、横方向に縮められる。そして、縮小部１２１は、縮小画像Ｐ１２をエンコーダ１２２へ出力する。
【００３７】
エンコーダ１２２は、縮小部１２１から縮小画像Ｐ１２が入力されると、入力された縮小画像Ｐ１２を符号化する。そして、エンコーダ１２２は、符号化した画像を第１通信部１３へ出力する。第１通信部１３の送信部１３１は、エンコーダ１２２から符号化した画像が入力されると、入力された画像を含む画像信号を第２インターホン機器２へ送信する。
【００３８】
第２インターホン機器２において、第２通信部２１の受信部２１１は、第１インターホン機器１から送信された画像信号を受信すると、画像信号に含まれる画像を第２画像処理部２２へ出力する。第２画像処理部２２は、画像が入力されると、入力された画像に対して処理を行う。まず、デコーダ２２１が、入力された画像を復号化する。そして、デコーダ２２１は、復号化した画像を拡大部２２２へ出力する。
【００３９】
拡大部２２２は、デコーダ２２１から復号化された画像が入力されると、拡大処理を実行する。つまり、拡大部２２２は、入力された画像のサイズが原画像Ｐ１１のサイズとなるように、復号化された画像を拡大する。ここでは、拡大処理により、復号化された画像の横方向の画素数が増やされる。したがって、拡大処理後の拡大画像Ｐ１３のサイズは、図２Ｃに示すように、横方向の画素数がＸ１、縦方向の画素数がＹ１となり、原画像のサイズと同じになる。このとき、被写体（人Ｓ１、文字Ｓ２など）も、拡大処理により横方向に伸ばされることで、ほぼ元の状態（つまり、原画像Ｐ１１で表される状態）に戻る。そして、拡大部２２２は、拡大画像Ｐ１３を表示部２３へ出力する。
【００４０】
表示部２３は、拡大部２２２から拡大画像Ｐ１３が入力されると、拡大画像Ｐ１３を表示する。ここで、表示部２３に表示される画像は、拡大画像Ｐ１３自体でなくてもよい。つまり、表示部２３に表示される画像は、たとえば拡大画像Ｐ１３の一部を切り取った画像であったり、拡大画像Ｐ１３にレターボックスを付した画像であったりなど、拡大画像Ｐ１３に何らかの加工を施した画像であってもよい。
【００４１】
（３）効果
本実施形態のインターホンシステム１００の効果について説明するにあたり、まず、比較例のインターホンシステムについて説明する。比較例のインターホンシステムは、第１インターホン機器が縮小部を備えておらず、第２インターホン機器が拡大部を備えていない他は、本実施形態のインターホンシステム１００と同じ構成である。
【００４２】
従来のインターホンシステムでは、伝送線の通信路容量に制約がある場合、その他、コストの面から使用頻度の高いアスペクト比にしか対応していないエンコーダ及びデコーダを採用せざるを得ない場合などがある。このような場合、従来のインターホンシステムでは、第１インターホン機器に入力可能な画像のサイズ（言い換えれば、撮像部で撮像可能な画像のサイズ）が制限される場合がある。
【００４３】
そこで、比較例のインターホンシステムでは、このような制限のために、第１インターホン機器には、横方向の画素数がＸ３、縦方向の画素数がＹ２である画像しか入力できないと仮定する（図３Ａ参照）。以下では、この画像を「入力画像Ｐ２１」という。そして、比較例のインターホンシステムは、縮小部及び拡大部を備えていないことから、入力画像Ｐ２１のアスペクト比を有する画像しか第２インターホン機器へ送信させることができない。
【００４４】
ここで、第２インターホン機器側（表示部）で横長のワイド画像を表示させたい場合、比較例のインターホンシステムでは、第１インターホン機器から送信された入力画像Ｐ２１を横方向に引き伸ばす必要がある。以下、この画像を「ワイド画像Ｐ２２」という。ワイド画像Ｐ２２のサイズは、図３Ｂに示すように、横方向の画素数がＸ４（＞Ｘ３）、縦方向の画素数がＹ２であると仮定する。ワイド画像Ｐ２２は、被写体（人Ｓ１、文字Ｓ２など）が横方向に引き伸ばされることで、入力画像Ｐ２１を不自然に引き伸ばした画像となる。したがって、ワイド画像Ｐ２２を見たユーザは、視覚的に違和感を覚える可能性がある。
【００４５】
一方、本実施形態のインターホンシステム１００では、第１インターホン機器１（第１画像処理部１２）に入力された原画像Ｐ１１を、縮小部１２１で縮小してから第２インターホン機器２へ送信している。そして、第２インターホン機器２では、受信した画像を拡大部２２２で拡大している。その結果、本実施形態のインターホンシステム１００では、原画像Ｐ１１と同じアスペクト比を有する拡大画像Ｐ１３を第２インターホン機器２側（表示部２３）で再生させることができる。
【００４６】
つまり、本実施形態のインターホンシステム１００では、第１インターホン機器１に入力された画像を、画質の劣化を抑えつつ同じサイズで第２インターホン機器２側（表示部２３）で再生させることができる。このため、本実施形態のインターホンシステム１００では、表示部２３で表示される画像は、原画像Ｐ１１を不自然に引き伸ばした画像とはならない。したがって、表示部２３で表示される画像を見たユーザは、視覚的に違和感を覚え難い。
【００４７】
ここで、たとえば本実施形態のように、第１インターホン機器がロビーインターホンであると仮定する。この場合、第１インターホン機器に入力される画像（言い換えれば、撮像部で撮像される画像）の垂直画角は、来訪者の上半身を映すことができる程度であればよいが、水平画角は、死角を減らすために、ロビーの全体を映すことができる程度が望ましい。また、ロビーインターホンが取り付けられる取付台の傾斜角の如何によっては、来訪者の上半身を映すために必要とされる垂直画角が変化する。
【００４８】
このように、インターホンシステムにおいては、第１インターホン機器の設置環境に応じて、第１インターホン機器に入力される画像のアスペクト比が異なってくる場合がある。本実施形態のインターホンシステム１００では、種々のアスペクト比を有する原画像Ｐ１１が第１インターホン機器１に入力されても、原画像Ｐ１１のアスペクト比を有する画像を第２インターホン機器２側（表示部２３）で再生させることができる。
【００４９】
さらに、本実施形態のインターホンシステム１００は、既存のインターホンシステムに用いられている伝送線、エンコーダ、及びデコーダを変更せずに、縮小部１２１及び拡大部２２２を追加することで実現できる。このため、本実施形態のインターホンシステム１００は、既存のインターホンシステムに大幅な変更を加えることなく実現できるため、コストを低減することができる。
【００５０】
＜変形例＞
ところで、たとえばパノラマ画像のように横長の画像を撮像する必要があるとき、撮像部１１に超広角レンズが使用される場合がある。この場合、撮像された画像に歪み補正処理を施したり、ユーザ（たとえば、施工者）の操作により、又は設置環境に合わせるためにズーム処理を施したりすることがある。このような画素を補間するといった補正処理は画質の劣化を招くため、補正処理が繰り返されることは好ましくない。
【００５１】
そこで、本実施形態のインターホンシステム１００では、縮小部１２１は、縮小処理において、原画像Ｐ１１の少なくとも一部を変形して補正する補正処理を実行するように構成されていてもよい。この構成では、補正処理は、原画像Ｐ１１が縮小処理により縮小されることを前提として実行される。このため、補正処理を繰り返すことによる画質の劣化を抑えることができ、また、補正処理に要する演算量を抑えることで処理負荷を低減することができる。
【００５２】
また、本実施形態のインターホンシステム１００では、たとえば図４Ａ、図４Ｂに示すように、ＰｉｎＰ（Picture-in-Picture）機能を用いることにより、画像が境界線Ｌ１又は境界線Ｌ２で分割された拡大画像Ｐ１３を表示部２３に表示させてもよい。拡大画像Ｐ１３において、境界線Ｌ１，Ｌ２により分割された複数の領域には、それぞれ互いに異なる内容の画像が表示される。
【００５３】
その他、本実施形態のインターホンシステム１００では、たとえば図４Ｃに示すように、ＯＳＤ（On-Screen Display）機能を用いることにより、アイコンＩ１，Ｉ２を重ねた拡大画像Ｐ１３を表示部２３に表示させてもよい。アイコンＩ１は、たとえばユーザ（ここでは、住戸内の居住者）に向けてのメッセージを表す。アイコンＩ２は、たとえば日付や時刻などのユーザに向けての情報を表す。
【００５４】
ここで、上述の境界線Ｌ１，Ｌ２又はアイコンＩ１，Ｉ２を原画像Ｐ１１に付加する処理を行った後に、原画像Ｐ１１が縮小及び拡大される場合、境界線Ｌ１，Ｌ２又はアイコンＩ１，Ｉ２が滲んだ状態で表示部２３に表示される可能性がある。また、この場合、境界線Ｌ１，Ｌ２又はアイコンＩ１，Ｉ２の細部が潰れた状態で表示部２３に表示される可能性がある。
【００５５】
そこで、第２画像処理部２２は、画面を区分けする境界線Ｌ１，Ｌ２及び情報を提示するためのアイコンＩ１，Ｉ２の少なくとも一方を、拡大した画像（拡大画像Ｐ１３）に付加する付加部の機能を有していてもよい。言い換えれば、第２インターホン機器２は、付加部を有していてもよい。この構成では、境界線Ｌ１，Ｌ２又はアイコンＩ１，Ｉ２は、原画像Ｐ１１に付加されるのではなく、縮小及び拡大された後の拡大画像Ｐ１３に付加される。したがって、この構成では、境界線Ｌ１，Ｌ２及びアイコンＩ１，Ｉ２に縮小及び拡大の処理が行われないので、境界線Ｌ１，Ｌ２及びアイコンＩ１，Ｉ２が滲んで表示されたり、細部が潰れて表示されたりするのを抑制することができる。
【００５６】
以下、具体例として、図４Ｂに示すように、境界線Ｌ２を付加した拡大画像Ｐ１３を表示部２３に表示させる場合について説明する。この場合、まず、第１インターホン機器１の第１画像処理部１２は、撮像部１１に撮像された第１画像のうち、境界線Ｌ２で区切られる予定の領域に第２画像を上書きする上書き処理を実行する。このとき、第１画像処理部１２は、境界線Ｌ２を後に付加できるように、第１画像と第２画像との境界に空白領域を設ける。上書き処理後の画像は、縮小部１２１により縮小される。そして、縮小画像Ｐ１２は、エンコーダ１２２により符号化された後に、第２インターホン機器２へ送信される。
【００５７】
第２インターホン機器２の第２画像処理部２２は、入力される画像を拡大した後に、拡大画像Ｐ１３の空白領域に境界線Ｌ２を付加する付加処理を実行する。これにより、表示部２３には、境界線Ｌ２が付加された拡大画像Ｐ１３が表示される。ここで、第２画像処理部２２が境界線Ｌ２を付加する付加領域（言い換えれば、第１画像処理部１２で設けられる空白領域）は、予め設定されている。その他、第１インターホン機器１の第１画像処理部１２で上書き処理を実行するときに空白領域が決定されるので、第２画像処理部２２は、空白領域に関する情報を第１インターホン機器１から取得し、取得した情報に基づいて付加処理を実行してもよい。
【００５８】
また、本実施形態のインターホンシステム１００では、縮小部１２１は、原画像Ｐ１１（入力された画像）全体を一律に縮小させるように構成されているが、他の構成であってもよい。たとえば、縮小部１２１は、原画像Ｐ１１（入力された画像）のうち一部の領域を縮小するように構成されていてもよい。その他、縮小部１２１は、原画像Ｐ１１（入力された画像）が複数の領域に分けられる場合、複数の領域ごとに異なる比率で縮小するように構成されていてもよい。ここでいう「比率」とは、原画像Ｐ１１に対する縮小画像Ｐ１２の比率である。いずれの構成でも、原画像Ｐ１１（入力された画像）全体に対して一律に縮小処理を実行する場合と比較して、第２インターホン機器２側（表示部２３）で再生される画像の画質の劣化を抑制することができる。
【００５９】
以下、具体例として、図５Ａに示すように、境界線Ｌ２を付加する予定の原画像Ｐ１１を縮小させる場合について説明する。図５Ａにおける二点鎖線は、後に境界線Ｌ２が付加される空白領域を表している。この場合、縮小部１２１は、縮小処理において、原画像Ｐ１１のうち空白領域を含まない右側の第１領域Ａ１だけを縮小し、空白領域を含む左側の第２領域Ａ２は縮小しない。第２領域Ａ２は、空白領域により区切られた比較的小さい領域を含むため、縮小することにより画質の劣化を招き易いからである。
【００６０】
また、具体例として、図５Ｂに示すように、人Ｓ１、文字Ｓ２などの被写体が映っている原画像Ｐ１１を縮小させる場合について説明する。この場合、縮小部１２１は、縮小処理において、原画像Ｐ１１に映された被写体のうち、人Ｓ１、文字Ｓ２などの特定の被写体を含む第４領域Ａ４は縮小せず、その他の領域である第３領域Ａ３だけを縮小する。第４領域Ａ４は、被写体（人Ｓ１及び文字Ｓ２）という情報量が比較的多い領域を含むため、縮小することにより画質の劣化を招き易いからである。
【００６１】
そして、第２インターホン機器２の拡大部２２２は、拡大処理において、縮小処理で縮小された領域だけを拡大する。また、縮小部１２１の縮小処理において、原画像Ｐ１１が複数の領域ごとに異なる比率で縮小されている場合、拡大部２２２は、拡大処理において、複数の領域ごとに異なる比率に基づいて拡大する。ここで、拡大部２２２が拡大する領域（言い換えれば、縮小部１２１が縮小する領域）は、予め設定されている。その他、縮小部１２１で縮小処理を実行するときに縮小される領域が決定されるので、拡大部２２２は、縮小される領域に関する情報を第１インターホン機器１から取得し、取得した情報に基づいて拡大処理を実行してもよい。
【００６２】
また、第１画像処理部１２は、上述の一部の領域を設定するための設定部の機能を有していてもよい。言い換えれば、第１インターホン機器１は、設定部を有していてもよい。この構成では、たとえばユーザは、第１インターホン機器１を操作することで、原画像Ｐ１１のうち縮小させたい領域を変更することが可能である。つまり、この構成では、たとえばユーザが特に見たい部分以外を縮小させることができる。ここで、原画像Ｐ１１のうち縮小させたい領域は、ユーザが表示部２３に表示される拡大画像Ｐ１３を見ながら第２インターホン機器２を操作することで変更されてもよい。つまり、第２画像処理部２２が設定部として機能してもよい。
【００６３】
また、第１画像処理部１２は、縮小部１２１に入力される画像（原画像Ｐ１１）を分析する分析部の機能を有していてもよい。言い換えれば、第１インターホン機器１は、分析部を有していてもよい。そして、縮小部１２１は、分析部での分析結果に応じて、上述の一部の領域を決定するように構成されていてもよい。この構成では、たとえば原画像Ｐ１１（入力された画像）のうち情報量の多い部分以外を縮小させることができる。分析部は、画像解析により、たとえば画像のうち情報量の比較的多い領域又は画像のうち被写体の映っている領域などを分析するように構成されていればよい。
【００６４】
ところで、本実施形態では、第１インターホン機器１の第１制御部１５は、呼出部１４が所定の操作を受け付けたときに撮像部１１に撮像動作を開始させているが、他の構成であってもよい。たとえば、人などの移動体を検知するセンサを第１インターホン機器１が備えている場合、又はセンサが第１インターホン機器１の周囲に設置されている場合がある。このような場合、第１インターホン機器１の第１通信部１３は、センサの検知エリア内に移動体が入ってきたときにセンサが出力する検知信号を受けるように構成されていてもよい。そして、第１制御部１５は、第１通信部１３が検知信号を受けると、撮像部１１に撮像動作を開始するように構成されていてもよい。
【００６５】
その他、第１制御部１５は、第１インターホン機器１が動作している間、常に撮像部１１に撮像動作をさせるように構成されていてもよい。この場合、撮像部１１で撮像された画像は、たとえばユーザ（ここでは、住戸内の居住者）が操作部２４に対して所定の操作を行うことにより、第２インターホン機器２へ送信される。つまり、撮像部１１で撮像された画像は、ユーザが見たいタイミングで第２インターホン機器２へ送信されればよく、常に第２インターホン機器２へ送信されていなくてもよい。
【００６６】
また、第１インターホン機器１の第１制御部１５は、比率に関する情報を、送信部１３１から第２インターホン機器２へ送信させるように構成されていてもよい。この構成では、第２インターホン機器２の拡大部２２２は、第１インターホン機器１から送信された比率に基づいて拡大処理を実行することができる。つまり、この構成では、予めインターホンシステムで使用される比率が設定されていなくても、第１インターホン機器１に入力された種々のアスペクト比を有する画像を、第２インターホン機器２側で再生させることができる。
【００６７】
また、本実施形態のインターホンシステム１００は、集合住宅用であるが、たとえば戸建住宅用であってもよい。その他、本実施形態のインターホンシステム１００は、たとえば事務所、店舗、又は工場などの非住宅用であってもよい。
【００６８】
また、本実施形態では、ロビーインターホンが第１インターホン機器１であるが、第１インターホン機器１をロビーインターホンに限定する趣旨ではない。たとえば第１インターホン機器１は、ロビーインターホンの他に、ドアホン子器や制御装置であってもよい。また、本実施形態では、インターホン親機が第２インターホン機器２であるが、第２インターホン機器２をインターホン親機に限定する趣旨ではない。たとえば第２インターホン機器２は、インターホン親機の他に、管理室親機であってもよい。
【００６９】
また、本実施形態では、第１インターホン機器１であるロビーインターホンから第２インターホン機器２であるインターホン親機へ画像信号を送信しているが、逆であってもよい。つまり、インターホン親機からロビーインターホンへ画像信号を送信する構成であってもよい。この場合、ロビーインターホンが第２インターホン機器２、インターホン親機が第１インターホン機器１となる。
【００７０】
また、第１インターホン機器１と第２インターホン機器２とは、双方向で画像信号を送信する構成であってもよい。この場合、第１インターホン機器１が受信部２１１、デコーダ２２１、及び拡大部２２２をさらに備え、第２インターホン機器２が縮小部１２１、エンコーダ１２２、及び送信部１３１をさらに備えればよい。
【００７１】
また、本実施形態では、第１インターホン機器１と第２インターホン機器２との間の通信方式は、伝送路３を介した有線通信であるが、たとえば電波を媒体とする無線通信であってもよい。
【００７２】
また、本実施形態では、第１インターホン機器１と第２インターホン機器２との通信方式はディジタル通信方式であるが、アナログ通信方式であってもよい。アナログ通信方式の場合、画像信号は、たとえばＮＴＳＣ（National Television System Committee）信号として第１インターホン機器１から第２インターホン機器２へ送信される。また、この場合、エンコーダ１２２及びデコーダ２２１は、いずれもＮＴＳＣ方式に対応した装置である。
【００７３】
また、本実施形態では、第１インターホン機器１が撮像部１１を有しているが、他の構成であってもよい。たとえば、撮像部１１は、第１インターホン機器１とは異なる外部装置であって、第１画像処理部１２と通信可能に構成されていてもよい。また、本実施形態では、第２インターホン機器２が表示部２３を有しているが、他の構成であってもよい。たとえば、表示部２３は、第２インターホン機器２とは異なる外部装置であって、第２画像処理部２２と通信可能に構成されていてもよい。
【００７４】
また、本実施形態では、縮小部１２１は、入力された画像の横方向の画素数のみを減らす構成であるが、他の構成であってもよい。つまり、縮小部１２１は、入力された画像の縦方向の画素数のみを減らす構成であってもよいし、縦方向及び横方向の両方の画素数を減らす構成であってもよい。このように、縮小部１２１は、入力された画像のアスペクト比を変化させるように画像を縮小させる構成であればよい。
【００７５】
たとえば、縮小部１２１は、原画像Ｐ１１のサイズ（縦３６０ピクセル×横６４０ピクセル、又は縦３８４ピクセル×横６４０ピクセル）を、縦２４０ピクセル×横６４０ピクセルの画像のサイズに縮小するように構成されていてもよい。この画像（縮小画像Ｐ１２）のサイズは、６０Ｈｚのフレーム周波数（ＮＴＳＣ方式でいえば３０Ｈｚのフィールド周波数）で画像信号を第１インターホン機器１から第２インターホン機器２へ送信したい場合に有効である。
【００７６】
また、人間は、一般的に、縦方向の変化に対しては、横方向の変化よりも気付き難い。したがって、画像を縦方向に縮小及び拡大しても、画像を横方向に縮小及び拡大する場合と比較して、人間は気付きにくい。このため、縮小部１２１が入力された画像を縦方向に縮小する構成である場合、原画像Ｐ１１が比較的大きな比率で縮小されても、表示部２３で表示される拡大画像Ｐ１３を見たユーザは、視覚的に違和感を覚え難い。
【００７７】
以上述べたように、第１の態様のインターホンシステム１００は、互いに通信可能に構成される第１インターホン機器１及び第２インターホン機器２を備える。第１インターホン機器１は、縮小部１２１と、エンコーダ１２２と、送信部１３１とを有する。縮小部１２１は、入力された原画像のアスペクト比が変わるように原画像を縮小する縮小処理を実行し、縮小した画像を出力するように構成される。エンコーダ１２２は、縮小部１２１で縮小された画像を符号化し、符号化した画像を出力するように構成される。送信部１３１は、エンコーダ１２２で符号化された画像を含む画像信号を第２インターホン機器２へ送信するように構成される。第２インターホン機器２は、受信部２１１と、デコーダ２２１と、拡大部２２２とを有する。受信部２１１は、画像信号を受信するように構成される。デコーダ２２１は、画像信号に含まれる画像を復号化し、復号化した画像を出力するように構成される。拡大部２２２は、デコーダ２２１で復号化された画像を拡大し、拡大した画像を出力するように構成される。そして、拡大部２２２は、デコーダ２２１で復号化された画像を原画像のアスペクト比を有する画像に拡大するように構成される。
【００７８】
この構成によると、第１インターホン機器１に入力された画像を、画質の劣化を抑えつつ同じサイズで第２インターホン機器２側で再生させることができる。
【００７９】
また、第２の態様のインターホンシステム１００では、第１の態様において、縮小部１２１は、入力された画像の横方向の画素数だけを減らすように構成される。
【００８０】
この構成によると、第１インターホン機器１に入力される画像が、たとえば水平方向の画角が大きいパノラマ画像であっても、アスペクト比を変更することなく第２インターホン機器２側で再生させることができる。
【００８１】
また、第３の態様のインターホンシステム１００では、第１又は第２の態様において、縮小部１２１は、縮小処理において、原画像の少なくとも一部を変形して補正する補正処理を実行するように構成される。
【００８２】
この構成によると、たとえば歪み補正処理や電子ズーム処理などの補正処理は、原画像が縮小処理により縮小されることを前提として実行される。このため、補正処理を繰り返すことによる画質の劣化を抑えることができ、また、補正処理に要する演算量を抑えることで処理負荷を低減することができる。
【００８３】
また、第４の態様のインターホンシステム１００では、第１〜第３のいずれかの態様において、第２インターホン機器２は、付加部（第２画像処理部２２）をさらに有する。付加部は、画面を区分けする境界線Ｌ１，Ｌ２及び情報を提示するためのアイコンＩ１，Ｉ２の少なくとも一方を、拡大した画像に付加するように構成される。
【００８４】
この構成によると、境界線Ｌ１，Ｌ２及びアイコンＩ１，Ｉ２に対しては縮小処理及び拡大処理が実行されないので、境界線Ｌ１，Ｌ２及びアイコンＩ１，Ｉ２が滲んで表示されたり、細部が潰れて表示されたりするのを抑制することができる。
【００８５】
また、第５の態様のインターホンシステム１００では、第１〜第４のいずれかの態様において、縮小部１２１は、入力された画像のうち一部の領域を縮小するように構成される。
【００８６】
この構成によると、入力された画像全体に対して一律に縮小処理を実行する場合と比較して、第２インターホン機器２側で再生される画像の画質の劣化を抑制することができる。
【００８７】
また、第６の態様のインターホンシステム１００では、第５の態様において、第１インターホン機器１は、一部の領域を設定するための設定部（第１画像処理部１２）をさらに有する。
【００８８】
この構成によると、たとえばユーザ（住戸内の居住者）が特に見たい部分以外を縮小させることができるので、第２インターホン機器２側で再生される画像のうち特に見たい部分での画質の劣化を抑制することができる。
【００８９】
また、第７の態様のインターホンシステム１００は、第５の態様において、第１インターホン機器１は、分析部（第１画像処理部１２）をさらに有する。分析部は、縮小部１２１に入力される画像を分析するように構成される。そして、縮小部１２１は、分析部での分析結果に応じて一部の領域を決定するように構成される。
【００９０】
この構成によると、たとえば入力された画像のうち情報量の多い部分以外を縮小させることができる。このため、この構成では、第２インターホン機器２側で再生される画像のうち、情報量が多く縮小処理及び拡大処理による影響を受け易い部分での画質の劣化を抑制することができる。
【００９１】
以上、実施形態に係るインターホンシステム１００について説明した。ただし、以上に説明した実施形態は、本発明の様々な実施形態の一つに過ぎない。上記の実施形態は、本発明の目的を達成できれば、設計等に応じて種々の変更が可能である。
【符号の説明】
【００９２】
１  第１インターホン機器
１２１  縮小部
１２２  エンコーダ
１３１  送信部
１２  第１画像処理部（設定部、分析部）
２  第２インターホン機器
２１１  受信部
２２１  デコーダ
２２２  拡大部
２２  第２画像処理部（付加部）
１００  インターホンシステム
Ｌ１，Ｌ２  境界線
Ｉ１，Ｉ２  アイコン
【図１】
2018082221.tif 000003
【図２】
2018082221.tif 000004
【図３】
2018082221.tif 000005
【図４】
2018082221.tif 000006
【図５】
2018082221.tif 000007